(57)【要約】【課題】  網材を通した眺望が良好であり、且つ網材自体を視認しやすく、さらに製造が容易な網戸用網材及び網戸を提供する。【解決手段】  網戸用網材は、縦糸１と横糸２とを織って形成したものであって、縦糸１と横糸２の一方が白系色、他方が黒系色である。そして網戸は、四方枠組みした枠体３を備え、枠体３に網戸用網材４が張設してある。【選択図】      図１
2010248742.tif 000002
【特許請求の範囲】
【請求項１】
縦糸と横糸とを織って形成したものであって、縦糸と横糸の一方が白系色、他方が黒系色であることを特徴とする網戸用網材。
【請求項２】
四方枠組みした枠体を備え、枠体に請求項１記載の網戸用網材が張設してあることを特徴とする網戸。
【発明の詳細な説明】
【技術分野】
【０００１】
本発明は、網材を通した眺望及び安全性を考慮した網戸用網材及び網戸に関する。
【背景技術】
【０００２】
従来、防虫用の網戸の網材は灰色又は黒色の単色からなるものが一般的であった。灰色の網材の場合、灰色は明度（反射率）が高く、透過光が反射・干渉するため、屋外から網材を通して屋内が見えにくいが、逆に屋内からも屋外が見えにくく、眺望が悪い点が問題である。一方、黒色の網材の場合、黒色は明度（反射率）が低く、透過光が反射・干渉しにくいため、屋内から網材を通して屋外を見た際の眺望は良好であるが、屋外からも屋内が見えやすく、また網材自体を視認しにくいので、特に夕方から夜間において利用者が網戸の存在に気付かず網材を突き破るという事故の発生が問題となっている。なお、網戸の網材の色を工夫したものとしては、特許文献１に、ブライト色系マルチフィラメントと黒色系マルチフィラメントとをラッセル編みして、一方の面側にブライト色系マルチフィラメントと黒色系マルチフィラメントが露出すると共に他方の面側に黒色系マルチフィラメントのみが露出するようにしたものが記載されている。また、特許文献２に、網材を形成する線材の屋外側面を、光を反射する半透明又は不透明の合成樹脂で形成し、屋内側面を、光を吸収する有色塗料の塗膜又は有色顔料の混入された合成樹脂で形成したものが記載されている。
【先行技術文献】
【特許文献】
【０００３】
【特許文献１】特開２００８−１６３６６６号公報
【特許文献２】特開平９−１９５６４６号公報
【発明の概要】
【発明が解決しようとする課題】
【０００４】
しかしながら、文献１及び文献２の発明は、何れも網材の両面で色を変え、屋内からの眺望を良好なものとし、且つ屋外から屋内が見えにくいようにしたものであるが、屋内の利用者が網材自体を視認しにくいという問題については解消されない。また、文献１の網材は、二色のマルチフィラメントをラッセル編みにより編成したものであり、文献２の網材は、線材を網目状に形成した後に塗料を塗布するか、線材自体を二色の樹脂を共押出しして形成したもので、何れも特殊な製法によるものであり生産コストが高くなる点も問題である。
【０００５】
本発明は、上記事情を鑑みたものであり、網材を通した眺望が良好であり、且つ網材自体を視認しやすく、さらに製造が容易な網戸用網材及び網戸を提供することを目的とする。
【課題を解決するための手段】
【０００６】
本発明のうち請求項１の発明は、縦糸と横糸とを織って形成したものであって、縦糸と横糸の一方が白系色、他方が黒系色であることを特徴とする。なお、白系色はマンセル表色系における明度が７以上であることが好ましく、黒系色はマンセル表色系における明度が３以下であることが好ましい。
【０００７】
本発明のうち請求項２の発明は、四方枠組みした枠体を備え、枠体に請求項１記載の網戸用網材が張設してあることを特徴とする。
【発明の効果】
【０００８】
本発明によれば、網材を構成する縦糸と横糸の一方のみが白系色であるので、透過光の反射・干渉がある程度抑えられ、屋内から屋外が見えやすく、且つ白系色の糸の存在により網材が視認しやすいので、良好な眺望と高い安全性を両立できる。また、網材の素材として白系色と黒系色の線材を用いれば、通常の製法で製造することができる。さらに、縦糸と横糸のどちらを白系色とするかによって、特定の方向からの視線を遮断することができる。すなわち、縦糸を白系色とすると、網戸の正面に対して左右何れかの斜め方向から見た場合に白系色の縦糸が近接するため、左右からの視線を遮断することができる。一方、横糸を白系色とすると、網戸の正面に対して上下何れかの斜め方向から見た場合に白系色の横糸が近接するため、上下からの視線を遮断することができる。
【図面の簡単な説明】
【０００９】
【図１】本発明の網戸の正面図及び網戸用網材の拡大図である。
【発明を実施するための形態】
【００１０】
以下、本発明の実施の形態を図面に基づいて説明する。この網戸用網材４は、図１に示すように、縦糸１と横糸２とを平織りして形成したものであって、縦糸１には白系色の線材を用い、横糸２には黒系色の線材を用いたものである。なお、白系色はマンセル表色系における明度が７以上の色であり、黒系色はマンセル表色系における明度が３以下の色である。そしてこの網戸用網材４を、四方枠組みした枠体３に張設して網戸を形成してある。この網戸は建物の開口部に設置して用いる。
【００１１】
このように構成した網戸は、網材を構成する縦糸と横糸のうち縦糸のみが白系色であるので、透過光の反射・干渉がある程度抑えられ、屋内から網材を通して屋外が見えやすく、眺望が良好である。そして、白系色の縦糸の存在により網材が視認しやすいので、利用者が網戸の存在に気付かず網材を突き破るような事故の発生が防がれ、安全性が高い。また、網材の素材として白系色と黒系色の線材を用いれば、通常の製法で製造することができる。さらに、網戸の正面に対して左右何れかの斜め方向から見た場合に白系色の縦糸が近接するため、左右からの視線を遮断することができる。よって、この網戸を道路に面した壁面に設置した場合、道路の通行人が屋内を見るためには網戸の正面に静止して眺める必要があり、そのような者は明らかに不審者と認定できるので、防犯効果が高い。また、この網戸を道路に直交する壁面に設置した場合、敷地内に侵入して網戸の正面に立たない限り、道路の通行人からは屋内が見えないので、やはり防犯効果が高い。
【００１２】
また、網戸の別実施例として、網材の縦糸に黒系色の線材を用い、横糸に白系色の線材を用いてもよい。この場合、網材を通した眺望が良好で且つ網戸を視認しやすく安全性が高いことは先の実施例と同様である。そして、網戸の正面に対して上下何れかの斜め方向から見た場合に白系色の横糸が近接するため、上下からの視線を遮断することができる。よって、網戸と同等の高さから見た場合には足元や床面に向く視線を遮ることができ、また隣家の上下階からの視線も遮ることができるので、プライバシー性が高い。
【００１３】
なお、上記のように縦糸と横糸のどちらを白系色にするかによって遮断する視線の方向が異なるので、例えば、斜め横に位置する隣家の窓からの視線が気になる場所には縦糸を白系色とした網材を備える網戸を設置し、正面に位置する隣家の上下階何れかの窓からの視線が気になる場所には横糸を白系色とした網材を備える網戸を設置する等、網戸の設置場所の環境に応じて好適なものを選択すればよい。
【００１４】
本発明は、上記の実施形態に限定されない。網材は平織りされたものでなくてもよく、略鉛直方向に延びる線材と、略水平方向に延びる線材とを有し、その一方が白系色、他方が黒系色であればよい。
【符号の説明】
【００１５】
１  縦糸
２  横糸
３  枠体
４  網戸用網材
【図１】
2010248742.tif 000003